(57)【要約】【課題】開扉することなく、内部の様子の確認、過去データの確認、設定操作を選択的に行うことが可能な記録計を提供する。【解決手段】記録計１は、チャート紙を一方向に搬送する紙送り機構５と、紙送り機構５にて搬送されるチャート紙Ｃの記録面上に被測定対象の物理量の変化を示す測定データを経時的に記録する記録手段４とが筐体２内に設けられ、透過可能な表示器３ａを搭載した扉部３が筐体２の前面開口２ａに対して開閉自在に取り付けられる。設定部７は、測定データに関する所望の表示を行う表示領域と、外部から内部の様子が視認可能な透過領域とを表示器３ａの表示画面に選択的に設定する。制御部９は、設定部７の設定に基づいて表示器３ａの表示を制御する。【選択図】図１
2020046297.tif 000002
【特許請求の範囲】
【請求項１】
チャート紙を一方向に搬送する紙送り機構と、該紙送り機構にて搬送される前記チャート紙の記録面上に被測定対象の物理量の変化を示す測定データを経時的に記録する記録手段とが筐体内に設けられる記録計において、
前記筐体の前面開口に対して開閉自在に取り付けられ、透過可能な表示器を搭載した扉部と、
前記表示器の表示を制御する制御部と、
を備えたことを特徴とする記録計。
【請求項２】
前記測定データに関する所望の表示を行う表示領域と、外部から内部の様子が視認可能な透過領域とを前記表示器の表示画面に選択的に設定する設定部を備え、
前記制御部は、前記設定部の設定に基づいて前記表示器の表示を制御することを特徴とする請求項１に記載の記録計。
【請求項３】
前記表示器にタッチパネルが搭載されることを特徴とする請求項１または２に記載の記録計。
【発明の詳細な説明】
【技術分野】
【０００１】
本発明は、例えば熱電対や測温抵抗体などの温度検出素子からの温度信号、接点信号、電圧信号などによる外部からの計測データを記録する記録計に関するものである。
【背景技術】
【０００２】
下記特許文献１には、被測定対象の温度、電流、電圧又は歪み等の物理量の変化を示す波形などを長尺状の記録紙に印字するアナログ式と、物理量の変化を示すデータをメモリに記憶して記憶したデータに基づく波形が表示装置の画面上に表示するディジタル方式の両方式を用いたハイブリッド型の記録計について開示されている。この装置により、ユーザはチャート紙に測定データがリアルタイムに印字されることでデータ改竄が防止できるというアナログ式の利点と、測定結果の最大値又は最小値などを示す特定のデータを容易に探索して表示画面上に表示が可能なディジタル方式の利点の両方を享受することができる。
【先行技術文献】
【特許文献】
【０００３】
【特許文献１】特開２０１４−１４９２６５号公報
【発明の概要】
【発明が解決しようとする課題】
【０００４】
ところで、特許文献１に開示される記録計において、印字部の動作異常や搬送中のチャート紙の紙詰まり、紙切れなどデータ記録時に問題が発生したまま測定が継続されると、正確な記録が行えない。このため、ユーザは、再測定とならないように、特に記録開始前を含めて定期的にアナログ式の記録状態を確認する必要がある。
【０００５】
しかしながら、特許文献１の記録計では、アナログ式の記録状態を確認する度に機器前面に設けられた扉を開扉しなければならず確認作業が煩雑であった。
【０００６】
また、記録計の内部の様子やアナログ式の記録状態の確認のために扉の開け閉めを繰り返すと、扉の開閉寿命が短くなるだけでなく、開扉時に筐体内に埃や塵などの異物が混入する恐れがあり、故障の原因にもなるという問題がある。
【０００７】
そこで、本発明は上記問題点に鑑みてなされたものであって、開扉することなく、内部の様子の確認、過去データの確認、設定操作を選択的に行うことが可能な記録計を提供することを目的としている。
【課題を解決するための手段】
【０００８】
上記目的を達成するため、本発明の請求項１に記載された記録計は、チャート紙を一方向に搬送する紙送り機構と、該紙送り機構にて搬送される前記チャート紙の記録面上に被測定対象の物理量の変化を示す測定データを経時的に記録する記録手段とが筐体内に設けられる記録計において、
前記筐体の前面開口に対して開閉自在に取り付けられ、透過可能な表示器を搭載した扉部と、
前記表示器の表示を制御する制御部と、
を備えたことを特徴とする。
【０００９】
請求項２に記載された記録計は、請求項１の記録計において、
前記測定データに関する所望の表示を行う表示領域と、外部から内部の様子が視認可能な透過領域とを前記表示器の表示画面に選択的に設定する設定部を備え、
前記制御部は、前記設定部の設定に基づいて前記表示器の表示を制御することを特徴とする。
【００１０】
請求項３に記載された記録計は、請求項１または２の記録計において、
前記表示器にタッチパネルが搭載されることを特徴とする。
【発明の効果】
【００１１】
本発明によれば、ユーザの使用形態に応じて表示領域や透過領域を表示器の表示画面に選択的に設定して表示制御することができる。
【００１２】
そして、表示器の表示画面に透過領域を設定すれば、開扉せずに透過領域を通じて内部の様子を確認することができる。また、表示器の表示画面に表示領域を設定して過去データを表示すれば、開扉してチャート紙を引き出すことなく過去データを確認することができる。さらに、表示器にタッチパネルを搭載すれば、開扉することなく、タッチパネル機能を利用して所望の設定を行うことができる。
【００１３】
その結果、従来に比べて開扉の割合が減り、扉部の開閉寿命が従来より延びるだけでなく、開扉時に筐体内への埃や塵などの異物混入も減り、異物混入による故障を軽減することができる。
【図面の簡単な説明】
【００１４】
【図１】本発明に係る記録計の概略構成を示す断面図である。
【図２】本発明に係る記録計においてアナログモードが選択設定された場合の表示形態の一例を示す図である。
【図３】本発明に係る記録計においてハイブリッドモードが選択設定された場合の表示形態の一例を示す図である。
【図４】本発明に係る記録計においてグラフィックモードが選択設定された場合の表示形態の一例を示す図である。
【発明を実施するための形態】
【００１５】
以下、本発明を実施するための形態について、図１〜図４を参照しながら詳細に説明する。なお、添付する各図を参照した以下の説明において、方向乃至位置を示すために上、下、左、右の語を使用した場合、これはユーザが各図を図示の通りに見た場合の上、下、左、右に一致する。さらに、本明細書に添付する図面においては、図示と理解のしやすさの便宜上、適宜縮尺、縦横の寸法比、形状などについて、実物から変更し模式的に表現される場合があるが、あくまで一例であって、本発明の解釈を限定するものではない。
【００１６】
図１に示すように、本実施の形態の記録計１は、各種センサで構成される測定部１１にて測定した被測定対象の測定データを、チャート紙Ｃに記録するアナログ式及び測定データを保存・表示するディジタル式の２方式で記録するハイブリッド記録計である。
【００１７】
なお、被測定対象の測定データとは、被測定対象の物理量の変化を示すデータであり、例えば温度、電流、電圧又は歪みなどのデータを総称するものである。
【００１８】
記録計１は、本体が矩形状の筐体２で構成され、扉部３が筐体２に開閉自在に取り付けられ、記録手段４、紙送り機構５、収容部６が機械的な構成要素として筐体２の内部に設けられる。
【００１９】
また、記録計１は、設定部７、記憶部８、制御部９を電気的な構成要素として備える。なお、記録計１は、外部電源や一次電池又は二次電池などの内部電源から記録計１の駆動に必要な駆動電源を各部に供給する電源部１０を備える。
【００２０】
扉部３は、筐体２の前面開口２ａの一側辺の不図示の回動軸を中心として筐体２の前面開口２ａに開閉自在に取り付けられる。この扉部３は、チャート紙Ｃの補充や記録手段４の打点子やペンのインク交換時などのメンテナンスを行うときなどに開閉される。
【００２１】
扉部３は、表示器３ａが枠状のフレーム３ｂに取り付けられた構成である。フレーム３ｂの下部には、図２〜図４に示すように、どの箇所の各チャネル（ＣＨ１，ＣＨ２，ＣＨ３）の測定データかを示す箇所表示カード１２が装着できるようになっている。
【００２２】
また、箇所表示カード１２が装着されるフレーム３ｂの裏側は、例えば表示器３ａを駆動するためのドライバ回路を配置するためのスペースとして有効活用することが可能である。
【００２３】
さらに、図示はしないが、表示器３ａの後述する透過領域Ｅ２の透過率を考慮して、フレーム３ｂの裏側の周囲に必要数の内部照明を配置したり、既存の内部照明を明るくするのが好ましい。なお、表示器３ａの詳細については後述する。
【００２４】
記録手段４は、チャート紙Ｃの記録面（表面）に測定データを記録するもので、キャリッジ４ａと記録部材４ｂを備えて構成される。
【００２５】
キャリッジ４ａは、チャート紙Ｃの送り方向である副走査方向と直交する主走査方向（図１における手前／奥行き方向または図２〜図４における左右方向）に沿ってチャート紙Ｃに対して相対的に移動可能である。
【００２６】
さらに説明すると、キャリッジ４ａは、摺動軸に沿ってチャート紙Ｃの幅方向と同幅程度まで移動可能であり、測定部１１で測定された測定データに基づいて幅方向に所定量移動すると、この移動に伴って記録部材４ｂも幅方向に左右移動する。
【００２７】
そして、このキャリッジ４ａの移動に伴って記録部材４ｂが左右に移動することにより、所定速度で搬送されるチャート紙Ｃの記録面上に測定データが記録される。
【００２８】
記録部材４ｂは、キャリッジ４ａに設けられ、打点式で用いられる打点子やペン式で用いられるペンなどのチャート紙Ｃに測定データを記録するものである。記録部材４ｂは、チャート紙Ｃに測定データを記録するためのインクを収容するインク収容部を具備し、被測定対象や入力チャネルの数に応じて単数又は複数設けられている。
【００２９】
記録部材４ｂは、チャート紙Ｃに対する記録方法が打点式の場合は測定データ記録用の打点子で構成され、ペン式の場合は測定データ記録用のペンで構成される。記録部材４ｂは、所定速度で搬送されるチャート紙Ｃ上をキャリッジ４ａの移動に伴って左右に移動することにより測定データの変化を連続又は断続的に記録する。
【００３０】
紙送り機構５は、チャート紙Ｃを一方向に回転させながら記録部材４ｂと当接させた状態で収容部６まで搬送する。紙送り機構５による搬送速度は、予め設定部７にて設定された搬送速度（デフォルト値）に基づいて搬送しても、測定データや測定時間（期間）に基づいて適宜規定してもよい。
【００３１】
収容部６は、紙送り機構５によって搬送された記録済みのチャート紙Ｃを収容する容器である。搬送された記録済みのチャート紙Ｃは、図１に示すように、つづら折りされた状態で順次収容部６に収納される。
【００３２】
設定部７は、例えば収容部６の前面側（扉部３側）に設けられる設定キーや上下左右キーなどの操作キーによる各種ハードウェアキー、ロータリーノブなどの入力機器で構成される。
【００３３】
設定部７は、後述する３つのモード（アナログモード、ハイブリッドモード、グラフィックモード）の選択設定、選択設定したモードに関する情報（例えばチャネル数、スケール板表示の目盛りや測定レンジ（上下限値）、表示画面Ｅの分割数や表示内容の情報など）の設定、チャート紙Ｃの搬送速度などの各種設定を行う。この設定部７にて設定された各種情報は制御部９に入力される。
【００３４】
なお、表示器３ａの表示画面上に選択項目や設定項目などを表示させて選択や設定を行うためのタッチパネル（入力装置）を表示器３ａに搭載すれば、操作キーなどのハードウェアキーに代えて、表示器３ａのタッチパネル機能を設定部７として利用することができ、扉部３を開扉させずに所望の設定を行うことが可能になる。
【００３５】
記憶部８は、例えばＲＯＭ（Read Only Memory）、ＲＡＭ（Random Access Memory）等の各種半導体メモリからなる主記憶装置や、例えばフラッシュメモリやＨＤＤ（Hard Disk Drive ）等の補助記憶装置で構成される。
【００３６】
記憶部８は、測定部１１にて測定された各チャネルごとの測定データ、記録計１の各部を制御するのに必要なコンピュータプログラムやアプリケーションソフトウェアなどを記憶する。
【００３７】
制御部９は、ＣＰＵやＲＯＭ、ＲＡＭなどのプロセッサで構成され、測定部１１から物理量に対応する測定信号（アナログ信号）が入力されると、この測定信号をディジタルの測定データに変換処理して記憶部８に記憶する。
【００３８】
また、制御部９は、記憶部８への測定データの記憶処理の他、設定部７にて選択設定された後述するモード（アナログモード、ハイブリッドモード、グラフィックモードの何れかのモード）による表示器３ａの表示画面Ｅへの表示制御、記録手段４の駆動制御、紙送り機構５の駆動制御など、各部を統括制御する。
【００３９】
次に、本実施の形態の要部である表示器３ａについて説明する。表示器３ａは、透過可能な透明液晶パネルからなり、フラットケーブルなどを介して制御部９に配線接続される。
【００４０】
表示器３ａは、制御部９の制御により、設定部７にて選択設定されたモード（アナログモード、ハイブリッドモード、グラフィックモードの何れかのモード）に応じた表示形態の表示を行う。
【００４１】
図２〜図４は設定部７にて選択設定される各モード（アナログモード、ハイブリッドモード、グラフィックモード）の表示形態を示している。
【００４２】
図２は設定部７にて「アナログモード」が選択設定された場合の表示形態である。この「アナログモード」では、表示器３ａの表示画面（表示可能領域）Ｅを上下に２分割し、上段の領域が表示領域（測定データに関する所望の表示を行う領域）Ｅ１、下段の領域が透過領域（図２の斜線で囲まれた領域：外部から内部の様子が視認可能な領域）Ｅ２として設定される。
【００４３】
図２の表示形態では、制御部９の制御により、表示領域Ｅ１に対し、記録計１の状態（例えば画面名称、記録状態、警報情報など）を表示するステータスバー、測定した時刻を示す時刻表示、指針表示（図２では３チャネルの指針表示）を含むスケール板表示（図２では０〜２００の目盛りが付されたスケール板表示）を行う。
【００４４】
この「アナログモード」によれば、表示領域Ｅ１に対して比較的広い範囲で透過領域Ｅ２が設定されるので、外部から透過領域Ｅ２を通じて筐体２の内部の様子を視認することができる。これにより、ユーザは、扉部３を開扉することなく、記録手段４のペンや打点子による記録状態（チャート紙Ｃに対する波形描画や打点状態）、チャート紙Ｃの紙送り状態などをリアルタイムで確認することができる。
【００４５】
また、図２の「アナログモード」では、表示器３ａにて指針表示を含むスケール板表示を行うので、従来のアナログ式の記録計で用いられるスケール板が不要になる。
【００４６】
図３は設定部７にて「ハイブリッドモード」が選択設定された場合の表示形態である。この「ハイブリッドモード」では、表示器３ａの表示画面Ｅを上下に３分割し、上段と下段の領域が表示領域Ｅ１（Ｅ１ａ，Ｅ１ｂ）に設定され、中段の領域が透過領域（図３の斜線で囲まれた領域）Ｅ２に設定される。
【００４７】
図３の表示形態では、制御部９の制御により、上段の表示領域Ｅ１ａに対し、ステータスバー、時刻表示、各チャネル（ＣＨ１，ＣＨ２，ＣＨ３）の測定データのデジタル表示およびバーグラフ表示を行う。また、下段の表示領域Ｅ１ｂに対し、各チャネルの測定データのトレンド表示を行う。
【００４８】
この「ハイブリッドモード」の透過領域Ｅ２は、「アナログモード」に比べて高さ方向に狭くなっているが、外部からチャート紙Ｃ上の記録手段４のペンや打点子の移動領域全体が視認できる領域に設定されている。これにより、ユーザは、扉部３を開扉することなく、記録手段４のペンや打点子による直近での記録状態をリアルタイムで確認することができる。
【００４９】
また、図３の「ハイブリッドモード」では、トレンド表示のスクロールバーやフリック動作により、測定データの現在値だけでなく過去の測定データを表示画面Ｅ上の表示領域Ｅ１ｂで確認することができる。さらに、トレンド表示を行う表示領域Ｅ１ｂを半透過させれば、チャート紙Ｃの記録との比較にも利用することが可能である。
【００５０】
図４は設定部７にて「グラフィックモード」が選択設定された場合の表示形態である。この「グラフィックモード」では、表示器３ａの表示画面Ｅには透過領域Ｅ２が設定されず、表示器３ａの表示画面Ｅの全ての領域が表示領域Ｅ１に設定される。
【００５１】
図４の表示形態では、制御部９の制御により、表示領域Ｅ１を５分割し、最上段の領域Ｅ１ａにステータスバーの表示と時刻表示を行い、左上段の領域Ｅ１ｂに各チャネル（ＣＨ１，ＣＨ２，ＣＨ３）の測定データおよび最大／最小値のデジタル表示を行い、右上段の領域Ｅ１ｃに各チャネルのバーグラフ表示を行い、左下段の領域Ｅ１ｄに所望チャネルのサーキュラーチャートを表示し、右下段の領域Ｅ１ｅに各チャネルの測定データのトレンド表示を行う。
【００５２】
この「グラフィックモード」によれば、ユーザが扉部３を開扉してチャート紙Ｃを引き出さなくても、測定データに関する様々なグラフィック表示を行うことができ、現在の測定データや過去の測定データを表示画面Ｅ上の表示領域Ｅ１で確認することができる。
【００５３】
ところで、上述した実施の形態では、表示器３ａの表示形態として、３つのモード（アナログモード、ハイブリッドモード、グラフィックモード）を例にとって説明したが、これら３つのモードに限定されるものではない。例えばユーザが設定部７にて表示器３ａの表示画面Ｅ上の表示領域Ｅ１または透過領域Ｅ２の大きさ、位置、数を任意に設定することもできる。
【００５４】
また、表示器３ａの表示領域Ｅ１への表示内容は、図示のものに限定されず、設定部７にて表示内容を任意に設定することができる。例えば図３の表示器３ａの表示領域Ｅ１ａに対し、図２の表示器３ａの表示領域Ｅの表示内容、すなわち、ステータスバー、時刻表示、指針表示を含むスケール板表示を行うようにしてもよい。
【００５５】
このように、本実施形態の記録計１によれば、透過可能な表示器３ａを搭載した扉部３を筐体２の前面開口２ａに開閉自在に設け、ユーザの使用形態に応じて表示領域Ｅ１や透過領域Ｅ２を表示器３ａの表示画面Ｅに選択的に設定して表示制御することができる。
【００５６】
すなわち、表示器３ａの表示画面Ｅに透過領域Ｅ２を設定すれば、扉部３を開扉することなく透過領域Ｅ２を通じて内部の様子を確認することができる。例えば記録後のチャート紙Ｃを含めてペンや打点子の移動領域全体をカバーするように透過領域Ｅ２を設定すれば、記録手段４による記録状態（チャート紙Ｃに対するペンの波形描画や打点子の打点状態）、チャート紙Ｃの紙送り状態を外部からリアルタイムで確認することができる。その結果、測定データの記録中にチャート紙Ｃの紙詰まり、紙切れや記録手段４による動作不良が起きた場合には、扉部３を開扉して迅速に対応することができる。
【００５７】
また、表示器３ａの表示画面Ｅに表示領域Ｅ１を設定して測定データをトレンド表示すれば、扉部３を開扉してチャート紙Ｃを引き出すことなく、トレンド表示をスクロールバーやフリック動作により過去データを確認することができる。
【００５８】
さらに、タッチパネル（入力装置）を扉部３の表示器３ａに搭載すれば、扉部３を開扉することなく、タッチパネル機能を設定部７として利用して所望の設定を行うことができる。
【００５９】
そして、不用意に扉部３を開扉する必要がないので、従来に比べて開扉の割合が減り、扉部３の開閉寿命が従来より延びるだけでなく、開扉時に筐体２内への埃や塵などの異物混入が減り、異物混入による故障を軽減することができる。
【００６０】
以上、本発明に係る記録計の最良の形態について説明したが、この形態による記述および図面により本発明が限定されることはない。すなわち、この形態に基づいて当業者等によりなされる他の形態、実施例および運用技術などはすべて本発明の範疇に含まれることは勿論である。
【符号の説明】
【００６１】
１  記録計
２  筐体
３  扉部
３ａ  表示器
３ｂ  フレーム
４  記録手段
４ａ  キャリッジ
４ｂ  記録部材
５  紙送り機構
６  収容部
７  設定部
８  記憶部
９  制御部
１０  電源部
１１  測定部
１２  箇所表示カード
Ｃ  チャート紙
Ｅ  表示画面（表示可能領域）
Ｅ１（Ｅ１ａ，Ｅ１ｂ）  表示領域
Ｅ２  透過領域
【図１】
2020046297.tif 000003
【図２】
2020046297.tif 000004
【図３】
2020046297.tif 000005
【図４】
2020046297.tif 000006